(57)【特許請求の範囲】
【請求項１】
第１の導電膜を有する第１の電極基板と、
第２の導電膜を有する第２の電極基板と、
前記第２の導電膜の４隅の各々に設けられた第１の給電端子、第２の給電端子、第３の給電端子、第４の給電端子と、
コントローラと、
を有し、
前記コントローラは、
前記第１の給電端子を第１の抵抗を介して電源電位に接続し、前記第２の給電端子を第２の抵抗を介して電源電位に接続し、第３の給電端子及び第４の給電端子を接地電位に接続した状態で、前記第１の給電端子における電位と基準電位との電位差ΔＶ１Ｘと、前記第２の給電端子における電位と基準電位との電位差ΔＶ２Ｘとを算出し、
前記第２の給電端子を第３の抵抗を介して電源電位に接続し、前記第３の給電端子を第４の抵抗を介して電源電位に接続し、第１の給電端子及び第４の給電端子を接地電位に接続した状態で、前記第２の給電端子における電位と基準電位との電位差ΔＶ２Ｙと、前記第３の給電端子における電位と基準電位との電位差ΔＶ３Ｙとを算出し、
前記電位差ΔＶ１Ｘ、ΔＶ２Ｘ、ΔＶ２Ｙ、ΔＶ３Ｙのうち、最も電位差の大きいものを選択し、
前記選択された最も大きい電位差に基づき、前記第１の導電膜と前記第２の導電膜とが接触している２点の位置関係を算出することを特徴とするタッチパネル装置。
【請求項２】
第１の導電膜を有する第１の電極基板と、
第２の導電膜を有する第２の電極基板と、
前記第２の導電膜の４隅の各々に設けられた第１の給電端子、第２の給電端子、第３の給電端子、第４の給電端子と、
コントローラと、
を有し、
前記コントローラは、
前記第１の給電端子を第１の抵抗を介して電源電位に接続し、前記第２の給電端子を第２の抵抗を介して電源電位に接続し、第３の給電端子及び第４の給電端子を接地電位に接続した状態で、前記第１の給電端子における電位と基準電位との電位差ΔＶ１Ｘと、前記第２の給電端子における電位と基準電位との電位差ΔＶ２Ｘとを算出し、
前記第２の給電端子を第３の抵抗を介して電源電位に接続し、前記第３の給電端子を第４の抵抗を介して電源電位に接続し、第１の給電端子及び第４の給電端子を接地電位に接続した状態で、前記第２の給電端子における電位と基準電位との電位差ΔＶ２Ｙと、前記第３の給電端子における電位と基準電位との電位差ΔＶ３Ｙとを算出し、
前記電位差ΔＶ１Ｘ、ΔＶ２Ｘ、ΔＶ２Ｙ、ΔＶ３Ｙのうち、最も電位差の大きいものと、次に大きいものを選択し、
前記選択された２つの電位差の組み合わせに基づき、前記第１の導電膜と前記第２の導電膜とが接触している２点間の位置関係を検出することを特徴とするタッチパネル装置。
【請求項３】
前記コントローラは、前記選択された最も値の大きい電位差に基づき、前記２点間の距離を算出することを特徴とする請求項２におけるタッチパネル装置。
【請求項４】
前記コントローラは、前記選択された最も電位差の大きいものの電位差と、次に大きいものの電位差に基づき、前記第１の導電膜と前記第２の導電膜とが接触している２点間の距離を算出することを特徴とする請求項２におけるタッチパネル装置。
【請求項５】
前記コントローラは、
前記第１の給電端子及び前記第２の給電端子を電源電位に接続し、第３の給電端子及び第４の給電端子を接地電位に接続した状態で前記第１の電極基板における電位を測定することにより第一の方向の座標を検出し、
前記第２の給電端子及び前記第３の給電端子を電源電位に接続し、第１の給電端子及び第４の給電端子を接地電位に接続した状態で前記第１の電極基板における電位を測定することにより第二の方向の座標を検出し、
前記第一の方向の座標、前記第二の方向の座標、前記距離に基づき、前記２点の座標を検出することを特徴とする請求項３または４に記載のタッチパネル装置。
【請求項６】
電位測定のプローブとなる第１の導電膜を有する第１の電極基板と、
第２の導電膜を有する第２の電極基板と、
前記第２の導電膜の４隅の各々に設けられた第１の給電端子、第２の給電端子、第３の給電端子、第４の給電端子と、
コントローラと、
を有し、
前記コントローラは、
前記第１の給電端子を第１の抵抗を介して電源電位に接続し、前記第２の給電端子を第２の抵抗を介して電源電位に接続し、第３の給電端子及び第４の給電端子を接地電位に接続した状態で、前記第１の給電端子における電位と、前記第２の給電端子における電位とを測定し、
前記第２の給電端子を第３の抵抗を介して電源電位に接続し、前記第３の給電端子を第４の抵抗を介して電源電位に接続し、第１の給電端子及び第４の給電端子を接地電位に接続した状態で、前記第２の給電端子における電位と、前記第３の給電端子における電位とを測定し、
前記測定された各電位と各給電端子における基準電位との電位差を算出し、
前記算出された最も大きい電位差に基づいて、前記第１の導電膜と前記第２の導電膜とが接触している２点を検出することを特徴とする、タッチパネル装置。
【請求項７】
前記コントローラは、前記算出された電位差のうち、値が最も大きい電位差を求め、
前記求められた電位差に基づいて前記２点の位置関係を算出することを特徴とする、請求項６に記載のタッチパネル装置。
【請求項８】
電位測定のプローブとなる第１の導電膜を有する第１の電極基板と、
第２の導電膜を有する第２の電極基板と、
前記第２の導電膜の４隅の各々に設けられた第１の給電端子、第２の給電端子、第３の給電端子、第４の給電端子と、
コントローラと、
を有し、
前記コントローラは、
前記第１の給電端子を第１の抵抗を介して電源電位に接続し、前記第２の給電端子を第２の抵抗を介して電源電位に接続し、第３の給電端子及び第４の給電端子を接地電位に接続した状態で、前記第１の給電端子における電位と、前記第２の給電端子における電位とを測定し、
前記第２の給電端子を第３の抵抗を介して電源電位に接続し、前記第３の給電端子を第４の抵抗を介して電源電位に接続し、第１の給電端子及び第４の給電端子を接地電位に接続した状態で、前記第２の給電端子における電位と、前記第３の給電端子における電位とを測定し、
前記測定された各電位と各給電端子における基準電位との電位差を算出し、
前記算出された電位差に基づいて、前記第１の導電膜と前記第２の導電膜とが接触している２点を検出し、
前記コントローラは、前記算出された電位差のうち、値が最も大きい電位差を求め、
前記求められた電位差に基づいて前記２点の位置関係を算出し、
前記コントローラは更に、２番目に値が大きい電位差を求め、
前記値が最も大きい電位差と、前記２番目に値が大きい電位差との組み合せに基づいて、前記２点の位置関係を算出することを特徴とする、タッチパネル装置。
【請求項９】
第１の導電膜を有する第１の電極基板と、第２の導電膜を有する第２の電極基板と、前記第２の導電膜の４隅の各々に設けられた第１の給電端子、第２の給電端子、第３の給電端子、第４の給電端子と、を有するタッチパネル装置の位置検出方法において、
前記第１の給電端子を第１の抵抗を介して電源電位に接続するとともに、前記第２の給電端子を第２の抵抗を介して電源電位に接続し、第３の給電端子及び第４の給電端子を接地電位に接続した状態で、前記第１の給電端子における電位と基準電位との電位差ΔＶ１Ｘと、前記第２の給電端子における電位と基準電位との電位差ΔＶ２Ｘとを算出する工程と、
前記第２の給電端子を第３の抵抗を介して電源電位に接続するとともに、前記第３の給電端子を第４の抵抗を介して電源電位に接続し、第１の給電端子及び第４の給電端子を接地電位に接続した状態で、前記第２の給電端子における電位と基準電位との電位差ΔＶ２Ｙと、前記第３の給電端子における電位と基準電位との電位差ΔＶ３Ｙとを算出する工程と、
前記電位差ΔＶ１Ｘ、ΔＶ２Ｘ、ΔＶ２Ｙ、ΔＶ３Ｙのうち、最も電位差の大きいものを選択する工程と、
前記選択された最も大きい電位差に基づき、前記第１の導電膜と前記第２の導電膜とが接触している２点間の距離を算出する工程と、
を有することを特徴とするタッチパネル装置の位置検出方法。
【請求項１０】
第１の導電膜を有する第１の電極基板と、第２の導電膜を有する第２の電極基板と、前記第２の導電膜の４隅の各々に設けられた第１の給電端子、第２の給電端子、第３の給電端子、第４の給電端子と、を有するタッチパネル装置の位置検出方法において、
前記第１の給電端子を抵抗を介して電源電位に接続し、前記第２の給電端子を抵抗を介して電源電位に接続し、第３の給電端子及び第４の給電端子を接地電位に接続した状態で、前記第１の給電端子における電位と基準電位との電位差ΔＶ１Ｘと、前記第２の給電端子における電位と基準電位との電位差ΔＶ２Ｘとを算出する工程と、
前記第２の給電端子を抵抗を介して電源電位に接続し、前記第３の給電端子を抵抗を介して電源電位に接続し、第１の給電端子及び第４の給電端子を接地電位に接続した状態で、前記第２の給電端子における電位と基準電位との電位差ΔＶ２Ｙと、前記第３の給電端子における電位と基準電位との電位差ΔＶ３Ｙとを算出する工程と、
前記電位差ΔＶ１Ｘ、ΔＶ２Ｘ、ΔＶ２Ｙ、ΔＶ３Ｙのうち、最も電位差の大きいものと、次に大きいものを選択する工程と、
前記選択された２つの電位差の組み合わせに基づき、前記第１の導電膜と前記第２の導電膜とが接触している２点間の位置関係を検出する工程と、
を有することを特徴とするタッチパネル装置の位置検出方法。
【発明の詳細な説明】
【技術分野】
【０００１】
本発明は、タッチパネル装置及びタッチパネル装置における位置検出方法に関する。
【背景技術】
【０００２】
タッチパネルは、ディスプレイ上から直接入力をすることが可能な入力デバイスであり、ディスプレイの前面に設置して使用される。タッチパネルは、ディスプレイにより視覚的にとらえた情報に基づき入力することができることから、様々な用途において用いられている。
【０００３】
このようなタッチパネルとしては、抵抗膜方式が知られている。抵抗膜方式のタッチパネルは、上部電極基板及び下部電極基板に形成された透明導電膜同士が対向するように設置し、上部電極基板に力を加えることにより透明導電膜同士が接触し、力の加えられた位置の位置検出を行うことができるものである。
【０００４】
抵抗膜方式のタッチパネルは、４線式と５線式とに大別することができる。４線式は、上部電極基板又は下部電極基板のどちらか一方にＸ軸の電極が設けられており、他方にＹ軸の電極が設けられている（例えば、特許文献１）。一方、５線式は、下部電極基板にＸ軸の電極及びＹ軸の電極がともに設けられており、上部電極基板は、電位を測定するためのプローブとして機能するものである（例えば、特許文献２）。
【０００５】
また、４線式のタッチパネルにおいては、マルチタッチの検出を行なうことのできるタッチパネルが開示されている。（例えば、特許文献３）
【先行技術文献】
【特許文献】
【０００６】
【特許文献１】特開２００４−２７２７２２号公報
【特許文献２】特開２００８−２９３１２９号公報
【特許文献３】特開２００９−１７６１１４号公報
【発明の概要】
【発明が解決しようとする課題】
【０００７】
しかしながら、５線式のタッチパネルにおいては、マルチタッチの検出を容易に行なうことのできるものは、存在していなかった。
【０００８】
よって、本発明は、上記に鑑みてなされたものであり、５線式のタッチパネルにおいてマルチタッチの検出を容易にするとともに、マルチタッチによるジェスチャ操作の検出を行なうことのできるタッチパネル装置を提供するものである。
【課題を解決するための手段】
【０００９】
本実施の形態の一観点によれば、第１の導電膜を有する第１の電極基板と、第２の導電膜を有する第２の電極基板と、前記第２の導電膜の４隅の各々に設けられた第１の給電端子、第２の給電端子、第３の給電端子、第４の給電端子と、コントローラと、を有し、前記コントローラは、前記第１の給電端子を第１の抵抗を介して電源電位に接続し、前記第２の給電端子を第２の抵抗を介して電源電位に接続し、第３の給電端子及び第４の給電端子を接地電位に接続した状態で、前記第１の給電端子における電位と基準電位との電位差ΔＶ１Ｘと、前記第２の給電端子における電位と基準電位との電位差ΔＶ２Ｘとを算出し、前記第２の給電端子を第３の抵抗を介して電源電位に接続し、前記第３の給電端子を第４の抵抗を介して電源電位に接続し、第１の給電端子及び第４の給電端子を接地電位に接続した状態で、前記第２の給電端子における電位と基準電位との電位差ΔＶ２Ｙと、前記第３の給電端子における電位と基準電位との電位差ΔＶ３Ｙとを算出し、前記電位差ΔＶ１Ｘ、ΔＶ２Ｘ、ΔＶ２Ｙ、ΔＶ３Ｙのうち、最も電位差の大きいものを選択し、前記選択された最も大きい電位差に基づき、前記第１の導電膜と前記第２の導電膜とが接触している２点の位置関係を算出することを特徴とする。
【発明の効果】
【００１０】
開示のタッチパネル装置によれば、５線式のタッチパネルにおいて、マルチタッチ検出、より具体的には２点の方向・距離・座標の検出をすることができ、マルチタッチによるジェスチャ操作の検出を行なうことができる。
【図面の簡単な説明】
【００１１】
【図１】第１の実施の形態におけるタッチパネル装置の構造図
【図２】第１の実施の形態におけるタッチパネルの構造図
【図３】第１の実施の形態におけるタッチパネルの説明図（１）
【図４】第１の実施の形態におけるタッチパネルの説明図（２）
【図５】第１の実施の形態におけるタッチパネルの説明図（３）
【図６】第１の実施の形態におけるタッチパネルの説明図（４）
【図７】タッチパネルに接触している２点における４種類のパターンの説明図
【図８】Ｓ１のパターンにおける２点間の距離と電位差ΔＶとの相関図
【図９】Ｓ２のパターンにおける２点間の距離と電位差ΔＶとの相関図
【図１０】Ｓ３のパターンにおける２点間の距離と電位差ΔＶとの相関図
【図１１】Ｓ４のパターンにおける２点間の距離と電位差ΔＶとの相関図
【図１２】電位差ΔＶが生じることの説明図
【図１３】第１の実施の形態における検出方法のフローチャート（１）
【図１４】第１の実施の形態における検出方法の説明図（１）
【図１５】第１の実施の形態における検出方法の説明図（２）
【図１６】第１の実施の形態における検出方法のフローチャート（２）
【図１７】第１の実施の形態における検出方法のフローチャート（３）
【図１８】第２の実施の形態における検出方法のフローチャート（１）
【図１９】第２の実施の形態における検出方法のフローチャート（２）
【発明を実施するための形態】
【００１２】
本発明を実施するための形態について、以下に説明する。尚、同じ部材等については、同一の符号を付して説明を省略する。
【００１３】
〔第１の実施の形態〕
（タッチパネル装置）
第１の実施の形態におけるタッチパネル装置について説明する。本実施の形態におけるタッチパネル装置は、５線式のタッチパネルであり、上部電極基板１０と下部電極基板２０とを有しており、マルチタッチや、タッチパネルに表示されている画像などの拡大や縮小をする際に行われるジェスチャ操作（ピンチアウト、ピンチイン）を検出することのできるタッチパネル装置である。
【００１４】
本実施の形態におけるタッチパネル装置は、図１に示されるように、上部電極基板１０、下部電極基板２０、増幅回路７０、コントローラ８０を有している。コントローラ８０は、制御部８１、座標検出部８２、１点／２点判別部８３、距離算出部８４、２点算出部８５、方向検出部８６、ＡＤ（Analog-to-digital）変換部８７、記憶部８８を有している。
【００１５】
制御部８１は、タッチパネル装置全体の制御を行う。ＡＤ変換部８７は、タッチパネル装置に設けられた各電位測定部において計測され、増幅回路７０において増幅された電圧のアナログ情報をデジタル情報に変換する。増幅回路７０は、タッチパネル操作時の抵抗変化率が小さい場合であっても電位測定を可能とするために設けられる。記憶部８８は、様々な情報の記憶を行う。
【００１６】
座標検出部８２は、タッチパネルの接触点の座標を検出する。１点／２点判別部８３は、タッチパネルの接触点が１点か２点かを判別する。距離算出部８４は、２点の接触点間の距離を算出する。２点算出部８５は、２点の接触点それぞれの座標を算出する。方向検出部８６は、２点の接触点がどの方向に並んでいるのかを検出する。座標検出部８２、１点／２点判別部８３、距離算出部８４、２点算出部８５、方向検出部８６の各部は、ＡＤ変換部８７によりデジタル情報に変換された電圧値に基づいて処理を実行する。
【００１７】
コントローラ８０はマイクロプロセッサなどで構成することができる。この場合、座標検出部８２、１点／２点判別部８３、距離算出部８４、２点算出部８５、方向検出部８６の各部の機能は、記憶部８８に記憶されたプログラムをコントローラ８０が実行することで実現できる。
【００１８】
図２に基づき、本実施の形態におけるタッチパネルについて、より詳細に説明する。本実施の形態におけるタッチパネルの上部電極基板１０は、ガラスや透明な樹脂材料により形成された４角形の形状の基板の表面に、ＩＴＯ（Indium Tin Oxide）等により上部導電膜となる透明導電膜１１が形成されている。また、下部電極基板２０は、ガラスや透明な樹脂材料により形成された４角形の基板の表面に、ＩＴＯ等により下部導電膜となる透明導電膜２１が形成されている。尚、上部電極基板１０と下部電極基板２０は、透明導電膜１１と透明導電膜２１が対向している状態で設置されている。
【００１９】
下部電極基板２０の４隅には、透明導電膜２１の上に、第１の給電端子３１、第２の給電端子３２、第３の給電端子３３、第４の給電端子３４が設けられている。本実施の形態においては、第１の給電端子３１と第２の給電端子３２を結ぶ直線と、第３の給電端子３３と第４の給電端子３４を結ぶ直線は、ともにＹ軸と平行になるように各給電端子が形成されている。また、第１の給電端子３１と第４の給電端子３４を結ぶ直線と、第２の給電端子３２と第３の給電端子３３を結ぶ直線は、ともにＸ軸と平行になるように各給電端子が形成されている。
【００２０】
第１の給電端子３１には、第１のスイッチＳＷ１の一方の端子が接続されており、第１のスイッチＳＷ１の他方の端子は、分圧抵抗である第１の抵抗Ｒ１の一方の端子に接続されている。第１の抵抗Ｒ１の他方の端子は、電源電位Ｖｃｃに接続されている。また、第１の給電端子３１には、第２のスイッチＳＷ２の一方の端子が接続されており、第２のスイッチＳＷ２の他方の端子は、電源電位Ｖｃｃに接続されている。また、第１の給電端子３１には、第３のスイッチＳＷ３の一方の端子が接続されており、第３のスイッチＳＷ３の他方の端子は、接地電位（０Ｖ）に接続されている。また、第１の給電端子３１には、第１の電位測定部ＡＤ１が接続されており、第１の電位測定部ＡＤ１により、第１の給電端子３１における電位を測定する。
【００２１】
尚、「電位測定部ＡＤ１」とは、第１の給電端子３１の電位を測定する機能を有するコントローラ内の要素を総称して指すものとし、本実施形態ではＡＤ変換部８７を含む。第１の給電端子３１からの出力は、まずＡＤ変換部８７に入力する。以下説明する電位測定部ＡＤ２〜ＡＤ４も同様である。
【００２２】
第２の給電端子３２には、第４のスイッチＳＷ４の一方の端子が接続されており、第４のスイッチＳＷ４の他方の端子は、分圧抵抗である第２の抵抗Ｒ２の一方の端子に接続されている。第２の抵抗Ｒ２の他方の端子は、電源電位Ｖｃｃに接続されている。また、第２の給電端子３２には、第５のスイッチＳＷ５の一方の端子が接続されており、第５のスイッチＳＷ５の他方の端子は、分圧抵抗である第３の抵抗Ｒ３の一方の端子に接続されている。第３の抵抗Ｒ３の他方の端子は、電源電位Ｖｃｃに接続されている。また、第２の給電端子３２には、第６のスイッチＳＷ６の一方の端子が接続されており、第６のスイッチＳＷ６の他方の端子は、電源電位Ｖｃｃに接続されている。また、第２の給電端子３２には、第２の電位測定部ＡＤ２が接続されており、第２の電位測定部ＡＤ２により、第２の給電端子３２における電位を測定する。
【００２３】
第３の給電端子３３には、第７のスイッチＳＷ７の一方の端子が接続されており、第７のスイッチＳＷ７の他方の端子は、分圧抵抗である第４の抵抗Ｒ４の一方の端子に接続されている。第４の抵抗Ｒ４の他方の端子は、電源電位Ｖｃｃに接続されている。また、第３の給電端子３３には、第８のスイッチＳＷ８の一方の端子が接続されており、第８のスイッチＳＷ８の他方の端子は、電源電位Ｖｃｃに接続されている。また、第３の給電端子３３には、第９のスイッチＳＷ９の一方の端子が接続されており、第９のスイッチＳＷ９の他方の端子は、接地電位（０Ｖ）に接続されている。また、第３の給電端子３３には、第３の電位測定部ＡＤ３が接続されており、第３の電位測定部ＡＤ３により、第３の給電端子３３における電位を測定する。
【００２４】
第４の給電端子３４には、第１０のスイッチＳＷ１０の一方の端子が接続されており、第１０のスイッチＳＷ１０の他方の端子は、接地電位（０Ｖ）に接続されている。
【００２５】
上部電極基板１０における透明導電膜１１には、分圧抵抗である第５の抵抗Ｒ５の一方の端子が接続されており、第５の抵抗Ｒ５の他方の端子は、第１１のスイッチＳＷ１１の一方の端子に接続されている。第１１のスイッチＳＷ１１の他方の端子は、接地電位（０Ｖ）に接続されている。また、透明導電膜１１には、第４の電位測定部ＡＤ４が接続されており、第４の電位測定部ＡＤ４により、透明導電膜１１における電位を測定することができる。
【００２６】
尚、抵抗Ｒ１と抵抗Ｒ２との抵抗値はそれぞれ同じである。同様に、抵抗Ｒ３と抵抗Ｒ４との抵抗値はそれぞれ同じである。
【００２７】
（接触点が１点または２点の中点の検出）
本実施の形態におけるタッチパネル装置において、Ｘ座標を検出する際には、図３に示すように、第２のスイッチＳＷ２、第６のスイッチＳＷ６、第９のスイッチＳＷ９、第１０のスイッチＳＷ１０をオンにし、第１のスイッチＳＷ１、第３のスイッチＳＷ３、第４のスイッチＳＷ４、第５のスイッチＳＷ５、第７のスイッチＳＷ７、第８のスイッチＳＷ８、第１１のスイッチＳＷ１１をオフにして、透明導電膜２１のＸ方向に電位分布を発生させて、第４の電位測定部ＡＤ４により電位を測定する。
【００２８】
また、Ｙ座標を検出する際には、図４に示すように、第３のスイッチＳＷ３、第６のスイッチＳＷ６、第８のスイッチＳＷ８、第１０のスイッチＳＷ１０をオンにし、第１のスイッチＳＷ１、第２のスイッチＳＷ２、第４のスイッチＳＷ４、第５のスイッチＳＷ５、第７のスイッチＳＷ７、第９のスイッチＳＷ９、第１１のスイッチＳＷ１１をオフにして、透明導電膜２１のＹ方向に電位分布を発生させて、第４の電位測定部ＡＤ４により電位を測定する。
【００２９】
尚、上記において検出されたＸ座標及びＹ座標は、接触点が１点の場合にはその接触点の座標であり、接触点が２点の場合には２点の接触点の中点の座標となる。
【００３０】
（接触点が２点の場合）
次に、接触点が２点の場合の接触点検出について説明する。本実施の形態によるタッチパネル装置において、接触点が２点の場合の操作の検出を行う際には、抵抗を介して透明導電膜２１のＸ方向及びＹ方向に電位分布を発生させる。尚、以下の処理は２点接触が検出された後に実行する。
【００３１】
透明導電膜２１のＸ方向に電位分布を発生させる際には、図５に示すように、第１のスイッチＳＷ１、第４のスイッチＳＷ４、第９のスイッチＳＷ９、第１０のスイッチＳＷ１０をオンにし、第２のスイッチＳＷ２、第３のスイッチＳＷ３、第５のスイッチＳＷ５、第６のスイッチＳＷ６、第７のスイッチＳＷ７、第８のスイッチＳＷ８、第１１のスイッチＳＷ１１をオフにする。Ｖｃｃは、第１の給電端子３１、第２の給電端子３２に、それぞれ抵抗Ｒ１、Ｒ２を介して印加される。このように電位分布を発生させた状態で、第１の電位測定部ＡＤ１と第２の電位測定部ＡＤ２により電位を測定する。
【００３２】
また、透明導電膜２１のＹ方向に電位分布を発生させる際には、図６に示すように、第３のスイッチＳＷ３、第５のスイッチＳＷ５、第７のスイッチＳＷ７、第１０のスイッチＳＷ１０をオンにし、第１のスイッチＳＷ１、第２のスイッチＳＷ２、第４のスイッチＳＷ４、第６のスイッチＳＷ６、第８のスイッチＳＷ８、第９のスイッチＳＷ９、第１１のスイッチＳＷ１１をオフにする。Ｖｃｃは、第２の給電端子３２、第３の給電端子３３に対し、それぞれ抵抗Ｒ３、Ｒ４を介して印加される。このように電位分布を発生させた状態で、第２の電位測定部ＡＤ２と第３の電位測定部ＡＤ３により電位を測定する。
【００３３】
ところで、タッチパネルに表示されている画像を拡大、縮小する際などに行うジェスチャ操作、つまりピンチアウト、ピンチインの操作は、タッチパネルに接触している２点間の間隔を広げたり、縮めたりすることにより行う。
【００３４】
以下、タッチパネルに接触している２点の位置関係として、便宜的に、図７に示すＳ１、Ｓ２、Ｓ３、Ｓ４の４パターンを考える。Ｓ１は２点がＸ方向（左右方向）に沿って離れたパターンである。Ｓ２は２点が左上から右下に延びる斜めの線に沿って離れたパターンである。Ｓ３は２点がＹ方向（上下方向）に沿って離れたパターンである。Ｓ４のパターンは２点が右上から左下に延びる斜めの線に沿って離れたパターンである。
【００３５】
次に、図８〜図１１に、タッチパネルに接触している２点間の間隔と、測定された電位の基準電位に対する電位差ΔＶとの関係を示す。ここで、基準電位は、未タッチ状態の分圧電位である。尚、図８〜図１１において、ＡＤ１（Ｘ）は、図５のように抵抗Ｒ１、Ｒ２を介して透明導電膜２１のＸ方向に電位分布を発生させて、第１の電位測定部ＡＤ１において測定した第１の給電端子３１の分圧電位と基準電位との電位差であり、ＡＤ２（Ｘ）は、抵抗Ｒ１、Ｒ２を介してＸ方向に電位分布を発生させて、第２の電位測定部ＡＤ２において測定した第２の給電端子３２の電位と基準電位との電位差である。また、ＡＤ２（Ｙ）は、図６のように抵抗Ｒ３、Ｒ４を介して透明導電膜２１のＹ方向に電位分布を発生させて、第２の電位測定部ＡＤ２において測定した第２の給電端子３２の電位と基準電位との電位差であり、ＡＤ３（Ｙ）は、抵抗Ｒ３、Ｒ４を介してＹ方向に電位分布を発生させて、第３の電位測定部ＡＤ３において測定した第３の給電端子３３の電位と基準電位との電位差である。
【００３６】
図８は、図７のＳ１方向に沿って２点間の距離が変化するときの電位差ΔＶの変化を示す図である。図７におけるＳ１のパターン、即ち、２点の接触点がＸ方向に沿って離れたパターンでは、図８に示されるように、ＡＤ１（Ｘ）、ＡＤ２（Ｘ）は、２点の接触点間のＸ方向の距離が広がると電位差ΔＶが大きくなる。一方、２つの接触点はＹ方向の距離が略０なので、ＡＤ２（Ｙ）、ＡＤ３（Ｙ）は、２点の接触点間のＸ方向の距離が広がっても電位差ΔＶは殆ど変化せず、約０Ｖである。尚、２点の接触点間の距離が広がった場合において、ＡＤ１（Ｘ）とＡＤ２（Ｘ）における電位差ΔＶの変化の傾向は近い関係にある。
【００３７】
図９は、図７のＳ２方向に沿って２点間の距離が変化するときの電位差の変化を示す図である。図７におけるＳ２のパターン、即ち、２点の接触点がタッチパネル装置の左上と右下を結ぶ直線に沿って離れたパターンでは、２点はＸ方向、Ｙ方向それぞれの距離が変化している。また、図７に示すようにＳ２は第１の給電端子３１と第３の給電端子３３とを結ぶ線上にほぼ位置するため、Ｓ２に沿って２点の接触点間の距離が変化した場合、第２の電位測定部ＡＤ２によって測定される電位差の変化の度合いよりも、第１の電位測定部ＡＤ１、第３の電位測定部ＡＤ３によって測定される電位差の変化の度合いの方が大きくなる。そのため、図９に示されるように、ＡＤ２（Ｙ）、ＡＤ２（Ｘ）、ＡＤ３（Ｙ）、ＡＤ１（Ｘ）の順で、２点の接触点間の距離が広がった場合の電位差ΔＶの変化が大きくなる。具体的には、２点の接触点間の距離が広がった場合において、ＡＤ１（Ｘ）及びＡＤ３（Ｙ）における電位差ΔＶの変化は大きいが、ＡＤ２（Ｘ）及びＡＤ２（Ｙ）における電位差ΔＶの変化は十分に小さい。
【００３８】
図１０は、図７のＳ３方向に沿って２点間の距離が変化するときの電位差の変化を示す図である。図７におけるＳ３のパターン、即ち、２点の接触点がＹ方向に沿って離れたパターンでは、図１０に示されるように、ＡＤ２（Ｙ）、ＡＤ３（Ｙ）は、２点の接触点間のＹ方向の距離が広がるのに応じて電位差ΔＶが大きくなるが、Ｘ方向の２点間距離が略０なので、ＡＤ１（Ｘ）、ＡＤ２（Ｘ）は、２点の接触点間の距離がＳ３に沿って広がっても電位差ΔＶは殆ど変化せず、約０Ｖである。尚、２点の接触点間の距離が広がった場合において、ＡＤ２（Ｙ）とＡＤ３（Ｙ）の電位差ΔＶの変化の傾向は近い関係にある。
【００３９】
図１１は、図７のＳ４方向に沿って２点間の距離が変化するときの電位差の変化を示す図である。図７におけるＳ４のパターン、即ち、２点の接触点がタッチパネルの右上と左下とを結ぶ線に沿って離れたパターンでは、図１１に示されるように、ＡＤ３（Ｙ）、ＡＤ１（Ｘ）、ＡＤ２（Ｙ）、ＡＤ２（Ｘ）の順で、２点の接触点間の距離が広がった場合の電位差ΔＶの変化が大きくなる。具体的には、２点の接触点間の距離が広がった場合において、ＡＤ２（Ｘ）及びＡＤ２（Ｙ）における電位差ΔＶの変化は大きいが、ＡＤ１（Ｘ）及びＡＤ３（Ｙ）における電位差ΔＶの変化は十分に小さい。
【００４０】
図８から図１１に示すように、ＡＤ１（Ｘ）、ＡＤ２（Ｘ）、ＡＤ２（Ｙ）及びＡＤ３（Ｙ）はそれぞれ、２点の接触点のＸ方向の距離及びＹ方向の距離の関係に応じた値になることがわかる。従って、２点接触時のＡＤ１（Ｘ）、ＡＤ２（Ｘ）、ＡＤ２（Ｙ）及びＡＤ３（Ｙ）のそれぞれの値を参照することで、２点の接触点間の距離を求めることができる。
【００４１】
次に、２点の接触点間の距離が広がると、電位差ΔＶが大きくなる理由について説明する。一例として、図５に示すように抵抗Ｒ１、Ｒ２を介して透明導電膜２１のＸ方向に電位分布を発生させた状態で、２点の接触点において上下の透明導電膜１１、２１が接触している場合について説明する。この状態では、図１２に示されるように、接触点Ａと接触点Ｂとにおいて透明導電膜１１と透明導電膜２１とが接触しているため、接触点Ａと接触点Ｂとの間に、透明導電膜１１の抵抗ｒ１と透明導電膜２１の抵抗ｒ２とが並列に接続された合成抵抗が形成される。このように形成された接触点Ａと接触点Ｂとの間の合成抵抗の抵抗値は、透明導電膜２１の抵抗ｒ２及び透明導電膜１１の抵抗ｒ１よりも低い。これに伴い、合成抵抗が直列に接続されている第１の給電端子３１と接地電位にある給電端子との間のタッチパネルの抵抗も低くなる。従って、第１の電位測定部ＡＤ１において計測される電位、即ち、第１の給電端子３１と接地電位との間のタッチパネルの抵抗と第１の抵抗Ｒ１とによりＶｃｃが分圧された電位は、１点接触時の分圧電位よりも低くなる。また、接触点Ａと接触点Ｂとの間の距離が離れるほど、第１の給電端子３１と接地電位の給電端子との間の抵抗に対する合成抵抗の割合が大きくなるために第１の給電端子３１と接地電位の給電端子との間のタッチパネルの抵抗は低くなり、これに伴い、第１の電位測定部ＡＤ１において計測される電位も低下し、接触点Ａと接触点Ｂとが近づいている場合と比較して電位差ΔＶが大きくなる。
【００４２】
同様に、この合成抵抗を含む第２の給電端子３２と接地電位の給電端子との間のタッチパネルの抵抗も低くなる。従って、第２の電位測定部ＡＤ２において計測される電位、即ち、第２の給電端子３２において検出される電位、つまり電源電位Ｖｃｃが第２の給電端子３２と接地電位との間のタッチパネルの抵抗と第２の抵抗Ｒ２とにより分圧された電位は低くなる。また、接触点Ａと接触点Ｂとの間の距離が離れるほど第２の給電端子３２と接地電位との間のタッチパネルの抵抗は低くなるため、これに伴い、第２の電位測定部ＡＤ２において計測される電位も低下し、電位差ΔＶが大きくなる。
【００４３】
以上の内容は、抵抗を介してＹ方向に電位分布を発生させた場合についても同様である。
【００４４】
尚、接触点Ａと接触点Ｂとの距離が極めて近い場合には、第１の給電端子３１あるいは第２の給電端子３２と接地電位の給電端子との間の抵抗に占める２点の接触点間の合成抵抗の割合も極めて小さくなるので、第１の給電端子３１あるいは第２の給電端子３２で検出される分圧電位は１点接触の場合の分圧電位と近いものになる。そのため、２点間距離が極めて近い場合には、第１の電位測定部ＡＤ１及び第２の電位測定部ＡＤ２において検出される電位差ΔＶは略０Ｖとなる場合もある。
【００４５】
（位置検出方法）
次に、図１３に基づき本実施の形態におけるタッチパネル装置における接触点の位置検出方法について説明する。本実施の形態における位置検出方法は、ピンチアウト、ピンチインなどの操作が行われているか否かの検出を行う際などに実行されるものである。
【００４６】
最初に、ステップ１０２（Ｓ１０２）において、タッチパネルが操作されたかどうかを判断するためのタッチオン検出処理が行われる。具体的には、図１４に示すように、第２のスイッチＳＷ２、第６のスイッチＳＷ６、第８のスイッチＳＷ８、第１１のスイッチＳＷ１１をオンにし、第１のスイッチＳＷ１、第３のスイッチＳＷ３、第４のスイッチＳＷ４、第５のスイッチＳＷ５、第７のスイッチＳＷ７、第９のスイッチＳＷ９、第１０のスイッチＳＷ１０をオフにした状態で、第４の電位測定部ＡＤ４により電位を測定することにより、タッチオン検出を行う。尚、この状態においては、第１の給電端子３１、第２の給電端子３２、第３の給電端子３３の電位は電源電位Ｖｃｃとなっている。
【００４７】
尚、タッチオン検出時には、第２のスイッチＳＷ２、第６のスイッチＳＷ６、第８のスイッチＳＷ８のうちのいずれか２つをオンにして、第１の給電端子３１、第２の給電端子３２、第３の給電端子３３のうちのいずれか２つの電位を電源電位Ｖｃｃとしてもよく、また、第２のスイッチＳＷ２、第６のスイッチＳＷ６、第８のスイッチＳＷ８のうちのいずれか１つをオンにして、第１の給電端子３１、第２の給電端子３２、第３の給電端子３３のうちのいずれか１つの電位を電源電位Ｖｃｃとしてもよい。
【００４８】
次に、ステップ１０４（Ｓ１０４）において、タッチオンしているか否かの判断がなされる。タッチパネルに指やペンが接触している場合には、透明導電膜１１と透明導電膜２１とが接触点において接触するため、第４の電位測定部ＡＤ４において、透明導電膜１１の抵抗と第５の抵抗Ｒ５とにより電源電位Ｖｃｃが分圧された電位が検出される。よって、第４の電位測定部ＡＤ４において電位が検出された場合には、タッチパネルがタッチオンしているものと判断され、ステップ１０６に移行する。第４の電位測定部ＡＤ４において電位が検出されない場合には、タッチパネルがタッチオンしていないものと判断され、図１３の処理が終了する。
【００４９】
次に、ステップ１０６（Ｓ１０６）において、接触点の座標検出が行われる。具体的には、図３に示すように透明導電膜２１のＸ方向に電位分布を発生させて、第４の電位測定部ＡＤ４において電位を測定する。そして、座標検出部８２が、第４の電位測定部ＡＤ４において測定された電位に基づき接触点のＸ座標を検出する。同様に、図４に示すように透明導電膜２１のＹ方向に電位分布を発生させて、第４の電位測定部ＡＤ４において電位を測定し、座標検出部８２が第４の電位測定部ＡＤ４において測定された電位に基づき接触点のＹ座標を検出する。これにより、接触点のＸ座標及びＹ座標を検出する。このように検出されたＸ座標及びＹ座標は、タッチパネルにおける接触点が１点の場合には、その接触点における座標であり、接触点が２点の場合には、２点の接触点の中点である。
【００５０】
次に、ステップ１０８（Ｓ１０８）において、最大電位差ΔＶｍの検出が行われる。最大電位差ΔＶｍとは、各電位検出部で測定した測定電位と基準電位との電位差のうち、値が最大のものをいう。具体的には、後述する最大電位差検出のサブルーチンを行う。
【００５１】
次に、ステップ１１０（Ｓ１１０）において、ステップ１０８において得られた最大電位差ΔＶｍが閾値ΔＶｔｈを超えているか否かが１点／２点判別部８３で判断される。閾値ΔＶｔｈは、タッチパネルにおける接触点が１点であるか、２点であるかの判断の基準となる閾値である。最大電位差ΔＶｍが閾値ΔＶｔｈを超えていない場合には、接触点が１点であるものと判断され、ステップ１１２に移行する。最大電位差ΔＶｍが閾値ΔＶｔｈを超えている場合には、接触点が２点であるものと判断され、ステップ１１４に移行する。
【００５２】
次に、接触点が１点の場合には、ステップ１１２（Ｓ１１２）において、ステップ１０６において検出された座標が接触点の座標として出力される。
【００５３】
一方、ステップ１１０にて最大電位差ΔＶｍが閾値を超えていると判断された場合には、ステップ１１４（Ｓ１１４）において、最大電位差ΔＶｍの測定を行う。具体的には、ステップ１０８において最大電位差ΔＶｍが得られた条件と同じスイッチの接続条件で、抵抗を介し透明導電膜２１に電位分布を発生させて、最大電位差ΔＶｍが得られた電位測定部において電位を測定して、最大電位差ΔＶｍを求める。このように、最大電位差ΔＶｍの測定を２回行うのは、タッチされている情報に基づきジェスチャ操作の検出を行うためである。
【００５４】
次に、ステップ１１６（Ｓ１１６）において、最大電位差ΔＶｍが閾値ΔＶｔｈを超えているか否かが判断される。最大電位差ΔＶｍが閾値ΔＶｔｈを超えていない場合には、エラーであるものと判断され図１３の処理を終了する。一方、最大電位差ΔＶｍが閾値ΔＶｔｈを超えている場合には、接触点が２点であるものと判断され、ステップ１１８に移行する。
【００５５】
次に、ステップ１１８（Ｓ１１８）において、タッチパネルに接触している２点間の距離が算出される。具体的には、コントローラ８０の距離算出部８４において、最大電位差ΔＶｍに基づき数１に示す式や数２に示す式より、タッチパネルに接触している２点間の距離Ｌを算出する。これにより、タッチパネルに接触している２点間の距離が算出される。尚、数１に示す式におけるα１、β１、γ１は比例係数である。また、数２に示す式におけるα２、β２は比例係数である。
【００５６】
また、タッチパネルに接触している２点間の距離Ｌは、図１５に示す最大電位差ΔＶｍと距離Ｌとの相関関係のグラフ等に基づき算出してもよい。尚、図１５に示すグラフは、図８等に示すグラフの縦軸と横軸を入れ替えたものに相当するものであり、コントローラ８０の記憶部８８等に記憶されている。
【００５７】
【数１】
0006425514.tif 000002
【００５８】
【数２】
0006425514.tif 000003
【００５９】
次に、ステップ１２０（Ｓ１２０）において、タッチパネルに接触している２点の座標情報が出力される。具体的には、ステップ１１８において算出された２点間のＸ方向、または、Ｙ方向における距離と、ステップ１０６において検出された座標に基づき、コントローラ８０の２点算出部８５において、２点の接触点の座標情報が算出され、出力される。
【００６０】
例えば、２点のＸ座標を算出する場合には、ステップ１０６において検出されたＸ座標に、ステップ１１８において算出された２点の距離の半分の値を加えることにより一方の接触点のＸ座標を算出し、ステップ１１８において算出された２点の距離の半分の値を減ずることにより他方の接触点のＸ座標を算出する。２点のＹ座標は、ともにステップ１０６において検出されたＹ座標とする。また、出力される情報としては、２点座標に代えて中点座標と２点間距離情報としてもよい。
【００６１】
また、２点のＹ座標を算出する場合には、ステップ１０６において検出されたＹ座標に、ステップ１１８において算出された距離の半分の値を加えることにより一方の接触点のＹ座標を算出し、ステップ１１８において算出された距離の半分の値を減ずることにより他方の接触点のＹ座標を算出する。２点のＸ座標は、ともにステップ１０６において検出されたＸ座標とする。
【００６２】
本実施形態では、このような工程により、タッチパネルに２点で接触している場合の２点の接触点の距離や個々の接触点の座標を求めることができる。これによって、５線式のタッチパネルにおいてもマルチタッチの検出が可能となる。
【００６３】
また、以上の工程を繰り返してその都度検出される２点間の距離の変化を追うことにより、タッチパネルに接触している２点間の距離が広がっていく操作なのか、狭くなっていく操作なのかを検出することができる。これにより、本実施の形態におけるタッチパネル装置において、ピンチアウト、ピンチインの検出を行うことができる。
【００６４】
次に、ステップ１０８に示される最大電位差検出のサブルーチンについて、図１６に基づき説明する。
【００６５】
最初に、ステップ２０２（Ｓ２０２）において、抵抗Ｒ１、Ｒ２を介し透明導電膜２１のＸ方向に電位分布を発生させる。具体的には、図５に示すように、第１のスイッチＳＷ１、第４のスイッチＳＷ４、第９のスイッチＳＷ９、第１０のスイッチＳＷ１０をオンにし、第２のスイッチＳＷ２、第３のスイッチＳＷ３、第５のスイッチＳＷ５、第６のスイッチＳＷ６、第７のスイッチＳＷ７、第８のスイッチＳＷ８をオフにして、抵抗Ｒ１、Ｒ２を介しＸ方向に電位分布を発生させる。尚、第１１のスイッチＳＷ１１はオフにする。
【００６６】
次に、Ｘ方向に電位分布を発生させた状態で、ステップ２０４（Ｓ２０４）において第１の電位測定部ＡＤ１により第１の給電端子３１における分圧電位測定を行う。このように測定された電位をＡＤ１（Ｘ）測定電位とする。
【００６７】
次に、抵抗を介しＸ方向に電位分布を発生させた状態で、ステップ２０６（Ｓ２０６）において第２の電位測定部ＡＤ２により第２の給電端子３２での分圧電位測定を行う。このように測定された電位をＡＤ２（Ｘ）測定電位とする。
【００６８】
次に、ステップ２０８（Ｓ２０８）において、抵抗Ｒ３、Ｒ４を介し透明導電膜２１のＹ方向に電位分布を発生させる。具体的には、図６に示すように、第３のスイッチＳＷ３、第５のスイッチＳＷ５、第７のスイッチＳＷ７、第１０のスイッチＳＷ１０をオンにし、第１のスイッチＳＷ１、第２のスイッチＳＷ２、第４のスイッチＳＷ４、第６のスイッチＳＷ６、第８のスイッチＳＷ８、第９のスイッチＳＷ９をオフにして、抵抗Ｒ３、Ｒ４を介しＹ方向に電位分布を発生させる。尚、第１１のスイッチＳＷ１１はオフする。
【００６９】
次に、抵抗を介しＹ方向に電位分布を発生させた状態で、ステップ２１０（Ｓ２１０）において第２の電位測定部ＡＤ２により第２の給電端子３２での分圧電位測定を行う。このように測定された電位をＡＤ２（Ｙ）測定電位とする。
【００７０】
次に、抵抗を介しＹ方向に電位分布を発生させた状態で、ステップ２１２（Ｓ２１２）において第３の電位測定部ＡＤ３により第３の給電端子３３での分圧電位測定を行う。このように測定された電位をＡＤ３（Ｙ）測定電位とする。
【００７１】
次に、ステップ２１４（Ｓ２１４）において、ＡＤ１（Ｘ）測定電位と基準電位との電位差ΔＶ１Ｘ＝｜ＡＤ１（Ｘ）測定電位−ＡＤ１（Ｘ）基準電位｜を算出する。尚、ＡＤ１（Ｘ）基準電位は、抵抗を介しＸ方向に電位分布を発生させた状態で、予め第１の電位測定部ＡＤ１において測定された電位である。
【００７２】
次に、ステップ２１６（Ｓ２１６）において、ＡＤ２（Ｘ）測定電位と基準電位との電位差ΔＶ２Ｘ＝｜ＡＤ２（Ｘ）測定電位−ＡＤ２（Ｘ）基準電位｜を算出する。尚、ＡＤ２（Ｘ）基準電位は、抵抗を介しＸ方向に電位分布を発生させた状態で、予め第２の電位測定部ＡＤ２において測定された電位である。
【００７３】
次に、ステップ２１８（Ｓ２１８）において、ＡＤ２（Ｙ）測定電位と基準電位との電位差ΔＶ２Ｙ＝｜ＡＤ２（Ｙ）測定電位−ＡＤ２（Ｙ）基準電位｜を算出する。尚、ＡＤ２（Ｙ）基準電位は、抵抗を介しＹ方向に電位分布を発生させた状態で、予め第２の電位測定部ＡＤ２において測定された電位である。
【００７４】
次に、ステップ２２０（Ｓ２２０）において、ＡＤ３（Ｙ）測定電位と基準電位との電位差ΔＶ３Ｙ＝｜ＡＤ３（Ｙ）測定電位−ＡＤ３（Ｙ）基準電位｜を算出する。尚、ＡＤ３（Ｙ）基準電位は、抵抗を介しＹ方向に電位分布を発生させた状態で、予め第３の電位測定部ＡＤ３において測定された電位である。
【００７５】
次に、ステップ２２２（Ｓ２２２）において、電位差ΔＶ１Ｘ、ΔＶ２Ｘ、ΔＶ２Ｙ、ΔＶ３Ｙのうちから最も電位差の大きいものを選択して最大電位差ΔＶｍとし、最大電位差ΔＶｍとなった電圧印加方向及び最大電位差ΔＶｍに対応する電位の測定に用いた電位測定部を記憶する。
【００７６】
次に、図１７に基づき基準電位の測定方法について説明する。基準電位は、タッチパネルで検出を行う前、即ち、図１３に示すフローチャートを実行する前に予め測定されるものであり、コントローラ８０の記憶部８８に記憶されている。具体的には、基準電位として、ＡＤ１（Ｘ）基準電位、ＡＤ２（Ｘ）基準電位、ＡＤ２（Ｙ）基準電位、ＡＤ３（Ｙ）基準電位の測定を行う。
【００７７】
最初に、ステップ２５２（Ｓ２５２）において、タッチオン検出処理が行われる。具体的には、図１４に示す状態で、第４の電位測定部ＡＤ４により電位を測定することにより行う。尚、この状態においては、透明導電膜２１の電位は電源電位Ｖｃｃとなっている。
【００７８】
次に、ステップ２５４（Ｓ２５４）において、タッチオンしているか否かの判断がなされる。タッチパネルがタッチオンしている場合には、第４の電位測定部ＡＤ４において、透明導電膜１１の抵抗と第５の抵抗Ｒ５とにより電源電位Ｖｃｃが分圧された電位が検出される。よって、第４の電位測定部ＡＤ４で電位が検出された場合には、タッチパネルがタッチオンしているものと判断され、図１７の処理を終了する。一方、第４の電位測定部ＡＤ４で電位が検出されない場合には、タッチパネルがタッチオンしていないものと判断され、ステップ２５６に移行する。
【００７９】
次に、ステップ２５６（Ｓ２５６）において、抵抗を介し透明導電膜２１のＸ方向に電位分布を発生させる。具体的には、図５に示す状態で、抵抗Ｒ１、Ｒ２を介しＸ方向に電位分布を発生させる。尚、第１１のスイッチＳＷ１１はオフする。ステップ２５６の状態では、透明導電膜１１と透明導電膜２１とは接触していない。
【００８０】
次に、抵抗を介しＸ方向に電位分布を発生させた状態で、ステップ２５８（Ｓ２５８）において第１の電位測定部ＡＤ１により電位測定を行う。このように測定された電位をＡＤ１（Ｘ）基準電位とする。
【００８１】
次に、抵抗を介しＸ方向に電位分布を発生させた状態で、ステップ２６０（Ｓ２６０）において第２の電位測定部ＡＤ２により電位測定を行う。このように測定された電位をＡＤ２（Ｘ）基準電位とする。
【００８２】
次に、ステップ２６２（Ｓ２６２）において、抵抗Ｒ３、Ｒ４を介し透明導電膜２１のＹ方向に電位分布を発生させる。具体的には、図６に示す状態で、抵抗Ｒ３、Ｒ４を介しＹ方向に電位分布を発生させる。尚、第１１のスイッチＳＷ１１はオフする。ステップ２６２の状態では透明導電膜１１と透明導電膜２１とは接触していない。
【００８３】
次に、抵抗を介しＹ方向に電位分布を発生させた状態で、ステップ２６４（Ｓ２６４）において第２の電位測定部ＡＤ２により電位測定を行う。このように測定された電位をＡＤ２（Ｙ）基準電位とする。
【００８４】
次に、抵抗を介しＹ方向に電位分布を発生させた状態で、ステップ２６６（Ｓ２６６）において第３の電位測定部ＡＤ３により電位測定を行う。このように測定された電位をＡＤ３（Ｙ）基準電位とする。
【００８５】
以上の工程により、タッチパネルの各給電端子の基準電位を測定する。尚、測定された各々の基準電位は記憶部８８に記憶し、電位差ΔＶの算出に用いる。
【００８６】
以上より、本実施の形態におけるタッチパネル装置では、マルチタッチ時の接触点の距離や座標を検出することが可能となり、ピンチアウト、ピンチインの検出を行うことができる。
【００８７】
〔第２の実施の形態〕
次に、第２の実施の形態について説明する。本実施の形態は、ピンチアウト、ピンチインの操作の他に、画面に表示されている画像の回転等を行う際のジェスチャ操作を検出することを可能とするものである。本実施の形態におけるタッチパネル装置は、第１の実施の形態におけるタッチパネル装置と同様のものが用いられる。
【００８８】
ところで、図８〜図１１において、電位差ΔＶの値の変化の大きいものに着目すると、図７に示されるＳ１〜Ｓ４における方向において電位差ΔＶが大きいものの組み合わせが全て異なる。これは、２点の接触点の位置と給電端子との距離が短いことに起因している。透明導電膜２１となるＩＴＯ膜の抵抗分布は等しいため、距離が短いということは抵抗値が小さいということと同義となる。加えて合成抵抗が形成される２点間は、他よりも抵抗値が小さい。従って、電流は、最も抵抗値が小さくなる経路、即ち、２点の押下位置に近い電極からＧＮＤへと流れ易くなる。つまり、電位差ΔＶが最も大きい電極と２番目に大きい電極との組み合わせによって、２点の方向を決定することができる。
【００８９】
即ち、図７に示されるＳ１のパターン、即ち、２点の接触点がＸ方向に沿って離れたパターンでは、図８に示されるように、電位差ΔＶの値は、ＡＤ２（Ｘ）が最大であり、その次に大きいものはＡＤ１（Ｘ）である。よって、最大となる電位差とその次に大きい電位差との組み合わせは、ＡＤ２（Ｘ）、ＡＤ１（Ｘ）である。
【００９０】
また、図７に示されるＳ２のパターン、即ち、２点の接触点が左上から右下に向かう直線に沿って離れたパターンでは、図９に示されるように、ΔＶの値は、ＡＤ１（Ｘ）が最大であり、その次に大きいものはＡＤ３（Ｙ）である。よって、最大となる電位差とその次に大きい電位差と組み合わせは、ＡＤ１（Ｘ）、ＡＤ３（Ｙ）である。
【００９１】
また、図７に示されるＳ３のパターン、即ち、２点の接触点がＹ方向に沿って離れたパターンでは、図１０に示されるように、ΔＶの値は、ＡＤ３（Ｙ）が最大であり、その次に大きいものはＡＤ２（Ｙ）である。よって、最大となる電位差とその次に大きい電位差との組み合わせは、ＡＤ３（Ｙ）、ＡＤ２（Ｙ）である。
【００９２】
また、図７に示されるＳ４のパターン、即ち、２点の接触点が右上から左下に向かう直線に沿って離れたパターンでは、図１１に示されるように、ΔＶの値は、ＡＤ２（Ｘ）が最大であり、その次に大きいものはＡＤ２（Ｙ）である。よって、最大となる電位差とその次に大きい電位差との組み合わせは、ＡＤ２（Ｘ）、ＡＤ２（Ｙ）である。
【００９３】
以上より、ΔＶが最大となるものとその次に値が大きい電位差との組み合わせは、Ｓ１のパターンの場合には、ＡＤ２（Ｘ）、ＡＤ１（Ｘ）であり、Ｓ２のパターンの場合には、ＡＤ１（Ｘ）、ＡＤ３（Ｙ）であり、Ｓ３のパターンの場合には、ＡＤ３（Ｙ）、ＡＤ２（Ｙ）であり、Ｓ４のパターンの場合には、ＡＤ２（Ｘ）、ＡＤ２（Ｙ）である。
【００９４】
このように、２点の接触点が並んでいる方向と、最大の電位差と次に大きい電位差が得られる給電端子との間には相関関係があり、最大の電位差とその次に値が大きい電位差の組みあわせは、各々のパターンＳ１〜Ｓ４に応じて異なる。このため、最大の電位差とその次に大きい電位差との組み合わせに基づき、２点の接触点の位置関係、具体的には２点が並んでいる方向を知ることができる。
【００９５】
ΔＶが最大となるものとその次に大きいものの組み合わせがＡＤ２（Ｘ）、ＡＤ１（Ｘ）であれば、２点の接触点は、Ｓ１のパターン、即ち、２点の接触点がＸ方向に沿って離れたパターンである。
【００９６】
また、ΔＶが最大となるものとその次に大きいものの組み合わせがＡＤ１（Ｘ）、ＡＤ３（Ｙ）であれば、２点の接触点は、Ｓ２のパターン、即ち、２点の接触点が左上と右下方向に沿って離れたパターンである。
【００９７】
また、ΔＶが最大となるものとその次に大きいものの組み合わせがＡＤ３（Ｙ）、ＡＤ２（Ｙ）であれば、２点の接触点は、Ｓ３のパターン、即ち、２点の接触点がＹ方向に沿って離れたパターンである。
【００９８】
また、ΔＶが最大となるものとその次に大きいものの組み合わせがＡＤ２（Ｘ）、ＡＤ２（Ｙ）であれば、２点の接触点は、Ｓ４のパターン、即ち、２点の接触点が右上と左下方向に沿って離れたパターンである。
【００９９】
尚、タッチパネルが２点接触される場合には、２点の接触点がＳ１〜Ｓ４の方向から外れた方向に並んでいる可能性もある。この場合でも、Ｓ１〜Ｓ４の各パターンにおける最大電位差と次に大きい電位差の関係に基づいて、２点の接触点の方向を判別することが可能である。
【０１００】
本実施の形態におけるタッチパネルの位置検出方法には、上記の最大の電位差と次に値が大きい電位差との組み合わせを用いるものである。
【０１０１】
図１８に基づき、本実施の形態におけるタッチパネルの接触点検出方法について説明する。
【０１０２】
最初に、ステップ３０２（Ｓ３０２）において、タッチオン検出処理が行われる。具体的には、図１４に示す状態で、第４の電位測定部ＡＤ４により電位を測定することにより行う。尚、この状態においては、第１の給電端子３１、第２の給電端子３２、第３の給電端子３３の電位は電源電位Ｖｃｃとなっている。
【０１０３】
次に、ステップ３０４（Ｓ３０４）において、タッチオンしているか否かの判断がなされる。タッチパネルに指等がタッチオンしている場合には、第４の電位測定部ＡＤ４において、透明導電膜１１の抵抗と第５の抵抗Ｒ５により電源電位Ｖｃｃが分圧された電位が検出される。よって、第４の電位測定部ＡＤ４において電位が検出された場合には、タッチパネルがタッチオンしているものと判断され、ステップ３０６に移行する。一方、第４の電位測定部ＡＤ４において電位が検出されない場合には、タッチパネルがタッチオンしていないものと判断され、図１８の処理を終了する。
【０１０４】
次に、ステップ３０６（Ｓ３０６）において、接触点の座標検出が行われる。図３に示すように透明導電膜２１のＸ方向に電位分布を発生させて、第４の電位測定部ＡＤ４において電位を測定する。そして、座標検出部８２が第４の電位測定部ＡＤ４において測定された電位に基づき接触点のＸ座標を検出する。同様に、図４に示すように透明導電膜２１のＹ方向に電位分布を発生させて、第４の電位測定部ＡＤ４において電位を測定する。そして、座標検出部８２が第４の電位測定部ＡＤ４において測定された電位に基づき接触点のＹ座標を検出する。第１の実施形態と同様、検出されたＸ座標及びＹ座標は、タッチパネルにおける接触点が１点の場合にはその接触点における座標であり、接触点が２点の場合には２点の接触点の中点である。
【０１０５】
次に、ステップ３０８（Ｓ３０８）において、最大電位差ΔＶｍの検出が行われる。具体的には、図１６に示される最大電位差検出のサブルーチンを行う。
【０１０６】
次に、ステップ３１０（Ｓ３１０）において、第１の実施形態と同様、ステップ３０８において検出された最大電位差ΔＶｍが閾値ΔＶｔｈを超えているか否かが１点／２点判別部８３で判断される。最大電位差ΔＶｍが閾値ΔＶｔｈを超えていない場合には、タッチパネルにおける接触点が１点であるものと判断され、ステップ３１２に移行する。最大電位差ΔＶｍが閾値ΔＶｔｈを超えている場合には、タッチパネルにおける接触点が２点であるものと判断され、ステップ３１４に移行する。
【０１０７】
接触点が１点と判断された場合は、ステップ３１２（Ｓ３１２）において、ステップ３０６で検出された座標が接触点の座標として出力される。
【０１０８】
一方、接触点が２点と判断された場合は、ステップ３１４（Ｓ３１４）において、各々の電位測定部における電位差ΔＶの測定が行われる。具体的には、後述する電位差測定のサブルーチンを行う。
【０１０９】
次に、ステップ３１６（Ｓ３１６）において、電位差ΔＶ１Ｘ、ΔＶ２Ｘ、ΔＶ２Ｙ、ΔＶ３Ｙのうちから最も電位差の大きいものを最大電位差ΔＶｍとし、最大電位差ΔＶｍが閾値ΔＶｔｈを超えているか否かが判断される。最大電位差ΔＶｍが閾値ΔＶｔｈを超えていない場合には、エラーであるものと判断され処理を終了する。最大電位差ΔＶｍが閾値ΔＶｔｈを超えている場合には、接触点が２点であるものと判断され、ステップ３１８に移行する。
【０１１０】
次に、ステップ３１８（Ｓ３１８）において、２点の接触点が並んでいる方向を検出する。具体的には、方向検出部８６において、電位差ΔＶ１Ｘ、ΔＶ２Ｘ、ΔＶ２Ｙ、ΔＶ３Ｙのうちから最も電位差の大きいものとその次に値の大きいものを選び、選ばれた電位差の組み合わせにより、２点の接触点の位置関係（２点間の方向）を検出する。電位差ΔＶ１Ｘ、ΔＶ２Ｘ、ΔＶ２Ｙ、ΔＶ３Ｙのうちから、最も大きい電位差とその次に大きい電位差との組み合わせが電位差ΔＶ１Ｘ、ΔＶ２Ｘである場合、即ち、ＡＤ１（Ｘ）、ＡＤ２（Ｘ）である場合には、２点の接触点はＳ１のパターンである。
【０１１１】
また、最大とその次に大きい電位差との組み合わせが電位差ΔＶ１Ｘ、ΔＶ３Ｙである場合、即ち、ＡＤ１（Ｘ）、ＡＤ３（Ｙ）である場合には、２点の接触点はＳ２のパターンである。
【０１１２】
また、最大とその次に大きい電位差との組み合わせが電位差ΔＶ２Ｙ、ΔＶ３Ｙである場合、即ち、ＡＤ２（Ｙ）、ＡＤ３（Ｙ）である場合には、２点の接触点はＳ３のパターンである。
【０１１３】
また、最大とその次に大きい電位差との組み合わせが電位差ΔＶ２Ｘ、ΔＶ２Ｙである場合、即ち、ＡＤ２（Ｘ）、ＡＤ２（Ｙ）である場合には、２点の接触点はＳ４のパターンである。
【０１１４】
次に、ステップ３２０（Ｓ３２０）において、タッチパネルに接触している２点間の距離のＸ成分が算出される。具体的には、距離算出部８４において、電位差ΔＶ１Ｘ、ΔＶ２Ｘに基づき数１に示す式や数２に示す式等より、タッチパネルに接触している２点間の距離のＸ成分を算出する。Ｓ１のパターンの場合には、電位差ΔＶ１Ｘ、ΔＶ２Ｘのうちのいずれか大きい方、Ｓ２のパターンやＳ４のパターンの場合には、電位差ΔＶ１Ｘ、ΔＶ２Ｘのいずれか基づき、タッチパネルに接触している２点間の距離のＸ成分を算出する。
【０１１５】
次に、ステップ３２２（Ｓ３２２）において、タッチパネルに接触している２点間の距離のＹ成分が算出される。具体的には、コントローラ８０における距離算出部８４において、電位差ΔＶ２Ｙ、ΔＶ３Ｙに基づき数１に示す式や数２に示す式等より、タッチパネルに接触している２点間の距離のＹ成分を算出する。例えば、Ｓ３のパターンの場合には、電位差ΔＶ２Ｙ、ΔＶ３Ｙのうちのいずれか大きい方、Ｓ２のパターンやＳ４のパターンの場合には、電位差ΔＶ２Ｙ、ΔＶ３Ｙのいずれかに基づきタッチパネルに接触している２点間の距離のＹ成分を算出する。
【０１１６】
次に、ステップ３２４（Ｓ３２４）において、タッチパネルに接触している２点の座標情報が出力される。本実施の形態においては、２点算出部８５において、ステップ３２０において算出された２点間の距離のＸ成分、ステップ３２２において算出された２点間の距離のＹ成分、ステップ３０６において検出された座標に基づき、タッチパネルに接触している２点の座標が算出される。このように算出された２点の座標は、座標情報として出力される。
【０１１７】
タッチパネルに接触している２点の位置関係がＳ１のパターンの場合には、ステップ３０６において検出されたＸ座標に、ステップ３２０において算出された２点間の距離のＸ成分の半分の値を加えることにより一方のＸ座標を算出し、ステップ３２０において算出された距離の半分の値を減ずることにより他方のＸ座標を算出することで、２点の各々のＸ座標を算出する。２点のＹ座標は、ともにステップ３０６において検出されたＹ座標とする。このように算出された２点の座標が座標情報として出力される。
【０１１８】
また、タッチパネルに接触している２点の位置関係が、Ｓ２のパターンの場合には、２点の各々のＸ座標は、ステップ３０６において検出されたＸ座標に、ステップ３２０において算出された２点間の距離のＸ成分の半分の値を加えることにより一方のＸ座標を算出し、ステップ３２０において算出された距離の半分の値を減ずることにより他方のＸ座標を算出することで求める。２点の各々のＹ座標は、ステップ３０６において検出されたＹ座標に、ステップ３２２において算出された２点間の距離のＹ成分の半分の値を加えることにより一方のＹ座標を算出し、ステップ３２０において算出された距離の半分の値を減ずることにより他方のＹ座標を算出することで求める。Ｓ２のパターンは、タッチパネルに接触している２点が左上と右下方向に沿った斜め線の方向で離れたパターンであることから、算出された２つのＸ座標及びＹ座標に基づき、２点における座標を特定することができ、このように算出された２点の座標が座標情報として出力される。
【０１１９】
また、タッチパネルに接触している２点の位置関係が、Ｓ３のパターンの場合には、２点の各々のＹ座標は、ステップ３０６において検出されたＹ座標に、ステップ３２２において算出された２点間の距離のＹ成分の半分の値を加えることにより一方のＹ座標を算出し、ステップ３２０において算出された距離の半分の値を減ずることにより他方のＹ座標を算出する。２点のＸ座標は、ともにステップ３０６において検出されたＸ座標とする。このように算出された２点の座標が座標情報として出力される。
【０１２０】
また、タッチパネルに接触している２点の位置関係が、Ｓ４のパターンの場合には、２点の各々のＸ座標は、ステップ３０６において検出されたＸ座標に、ステップ３２０において算出された２点間の距離のＸ成分の半分の値を加えることにより一方のＸ座標を算出し、ステップ３２０において算出された距離の半分の値を減ずることにより他方のＸ座標を算出する。２点の各々のＹ座標は、ステップ３０６において検出されたＹ座標に、ステップ３２２において算出された２点間の距離のＹ成分の半分の値を加えることにより一方のＹ座標を算出し、ステップ３２０において算出された距離の半分の値を減ずることにより他方のＹ座標を算出することで求める。Ｓ４のパターンは、タッチパネルに接触している２点が右上と左下方向に沿った斜め線の方向で離れたパターンであることから、算出された２つのＸ座標及びＹ座標に基づき、２点における座標を特定することができ、このように算出された２点の座標が座標情報として出力される。
【０１２１】
本実施の形態においては、以上の工程を実行することで、２点の接触点の座標と、２点の接触点が並んでいる方向とを判別することができる。また、以上の工程を繰り返して２点の接触点が並んでいる方向や２点間距離の変化を判別することにより、ピンチイン／ピンチアウトや回転等のジェスチャ操作を検出することができる。
【０１２２】
本実施の形態においては、タッチパネルに接触している２点の座標を各々検出することができるため、マルチタッチ時の各接触点の座標検出が可能になるとともに、タッチパネルに接触している２点による縮小／拡大、回転等を含む様々なジェスチャ操作を検出することができる。
【０１２３】
また、本実施の形態においては、タッチパネルに接触している２点の位置関係のパターンが、Ｓ１→Ｓ２→Ｓ３→Ｓ４→Ｓ１の順に移行している場合には、タッチパネルに接触している２点が時計回りに移動するため、２点のパターン変化を判別することで時計回りの回転のジェスチャ操作を検出することができる。また、タッチパネルに接触している２点の位置関係のパターンが、Ｓ１→Ｓ４→Ｓ３→Ｓ２→Ｓ１の順に移行している場合には、タッチパネルに接触している２点が反時計回りに移動するため、このパターン変化を判別することで反時計回りの回転のジェスチャ操作を検出することができる。
【０１２４】
尚、定性的には、Ｓ１のパターンからＳ２のパターン、または、Ｓ２のパターンからＳ１のパターンに変化する場合には、ＡＤ１（Ｘ）の値が大きい状態が維持され、Ｓ２のパターンからＳ３のパターン、または、Ｓ３のパターンからＳ２のパターンに変化する場合には、ＡＤ３（Ｙ）の値が大きい状態が維持され、Ｓ３のパターンからＳ４のパターン、または、Ｓ４のパターンからＳ３のパターンに変化する場合には、ＡＤ２（Ｙ）の値が大きい状態が維持され、Ｓ４のパターンからＳ１のパターン、または、Ｓ１のパターンからＳ４のパターンに変化する場合には、ＡＤ２（Ｘ）の値が大きい状態が維持される。
【０１２５】
次に、ステップ３１４に示される電位差測定のサブルーチンについて、図１９に基づき説明する。
【０１２６】
最初に、ステップ４０２（Ｓ４０２）において、抵抗Ｒ１、Ｒ２を介しＸ方向に電位分布を発生させる。具体的には、図５に示すようにしてＸ方向に電位分布を発生させる。尚、第１１のスイッチＳＷ１１はオフする。
【０１２７】
次に、ステップ４０４（Ｓ４０４）において、抵抗を介しＸ方向に電位分布を発生させた状態で、第１の電位測定部ＡＤ１により電位測定を行う。このように測定された電位をＡＤ１（Ｘ）測定電位とする。
【０１２８】
次に、ステップ４０６（Ｓ４０６）において、抵抗を介しＸ方向に電位分布を発生させた状態で、第２の電位測定部ＡＤ２により電位測定を行う。このように測定された電位をＡＤ２（Ｘ）測定電位とする。
【０１２９】
次に、ステップ４０８（Ｓ４０８）において、抵抗Ｒ３、Ｒ４を介しＹ方向に電位分布を発生させる。具体的には、図６に示すようにして、Ｙ方向に電位分布を発生させる。尚、第１１のスイッチＳＷ１１はオフする。
【０１３０】
次に、ステップ４１０（Ｓ４１０）において、抵抗を介しＹ方向に電位分布を発生させた状態で、第２の電位測定部ＡＤ２により電位測定を行う。このように測定された電位をＡＤ２（Ｙ）測定電位とする。
【０１３１】
次に、ステップ４１２（Ｓ４１２）において、抵抗を介しＹ方向に電位分布を発生させた状態で、第３の電位測定部ＡＤ３により電位測定を行う。このように測定された電位をＡＤ３（Ｙ）測定電位とする。
【０１３２】
次に、ステップ４１４（Ｓ４１４）において、電位差ΔＶ１Ｘ＝｜ＡＤ１（Ｘ）測定電位−ＡＤ１（Ｘ）基準電位｜を算出し記憶する。尚、ＡＤ１（Ｘ）基準電位は、抵抗を介しＸ方向に電位分布を発生させた状態で、予め第１の電位測定部ＡＤ１において測定された電位である。
【０１３３】
次に、ステップ４１６（Ｓ４１６）において、電位差ΔＶ２Ｘ＝｜ＡＤ２（Ｘ）測定電位−ＡＤ２（Ｘ）基準電位｜を算出し記憶する。尚、ＡＤ２（Ｘ）基準電位は、抵抗を介しＸ方向に電位分布を発生させた状態で、予め第２の電位測定部ＡＤ２において測定された電位である。
【０１３４】
次に、ステップ４１８（Ｓ４１８）において、電位差ΔＶ２Ｙ＝｜ＡＤ２（Ｙ）測定電位−ＡＤ２（Ｙ）基準電位｜を算出し記憶する。尚、ＡＤ２（Ｙ）基準電位は、抵抗を介しＹ方向に電位分布を発生させた状態で、予め第２の電位測定部ＡＤ２において測定された電位である。
【０１３５】
次に、ステップ４２０（Ｓ４２０）において、電位差ΔＶ３Ｙ＝｜ＡＤ３（Ｙ）測定電位−ＡＤ３（Ｙ）基準電位｜を算出し記憶する。尚、ＡＤ３（Ｙ）基準電位は、抵抗を介しＹ方向に電位分布を発生させた状態で、予め第３の電位測定部ＡＤ３において測定された電位である。
【０１３６】
本実施の形態においては、タッチパネルに接触している２点の位置関係の変化を判別することより、回転等のジェスチャ操作を検出することができる。また、本実施の形態においては、タッチパネルに接触している２点の座標を各々検出することができるため、マルチタッチの判別や、タッチパネルに接触している２点による回転等を含む様々なジェスチャ操作を検出することができる。
【０１３７】
尚、上記以外の内容については、第１の実施の形態と同様である。
【０１３８】
以上、本発明の実施に係る形態について説明したが、上記内容は、発明の内容を限定するものではない。
【符号の説明】
【０１３９】
１０        上部電極基板
１１        透明導電膜
２０        下部電極基板
２１        透明導電膜
３１        第１の給電端子
３２        第２の給電端子
３３        第３の給電端子
３４        第４の給電端子
Ｒ１        第１の抵抗
Ｒ２        第２の抵抗
Ｒ３        第３の抵抗
Ｒ４        第４の抵抗
Ｒ５        第５の抵抗
ＡＤ１      第１の電位測定部
ＡＤ２      第２の電位測定部
ＡＤ３      第３の電位測定部
ＡＤ４      第４の電位測定部
ＳＷ１      第１のスイッチ
ＳＷ２      第２のスイッチ
ＳＷ３      第３のスイッチ
ＳＷ４      第４のスイッチ
ＳＷ５      第５のスイッチ
ＳＷ６      第６のスイッチ
ＳＷ７      第７のスイッチ
ＳＷ８      第８のスイッチ
ＳＷ９      第９のスイッチ
ＳＷ１０    第１０のスイッチ
ＳＷ１１    第１１のスイッチ
【図１】
0006425514.tif 000004
【図２】
0006425514.tif 000005
【図３】
0006425514.tif 000006
【図４】
0006425514.tif 000007
【図５】
0006425514.tif 000008
【図６】
0006425514.tif 000009
【図７】
0006425514.tif 000010
【図８】
0006425514.tif 000011
【図９】
0006425514.tif 000012
【図１０】
0006425514.tif 000013
【図１１】
0006425514.tif 000014
【図１２】
0006425514.tif 000015
【図１３】
0006425514.tif 000016
【図１４】
0006425514.tif 000017
【図１５】
0006425514.tif 000018
【図１６】
0006425514.tif 000019
【図１７】
0006425514.tif 000020
【図１８】
0006425514.tif 000021
【図１９】
0006425514.tif 000022